(57)【要約】【課題】着座型健康機の座席を前後揺動させることなく上下に揺動させるようにする。【解決手段】揺動機構４は、左右方向を向いていて座席２を支持する第１支軸８と第２支軸９とを有し、第１支軸８の端部にはその軸心から偏心した位置に回転軸部８ｂが形成されており、この回転軸部８ｂを駆動手段２３で回転させることで、第１支軸８はこの回転軸部８ｂまわりに偏心円運動可能とされており、座席２は、第１支軸８が取付けられる第１取付孔２０を有する第１取付部１７と、第２支軸９が取付けられる第２取付孔２１を有する第２取付部１８とを備えており、第１支軸８が回転軸部８ｂまわりの偏心円運動をしたときに、座席２が第２支軸９まわりの上下揺動をし、かつ前後揺動しないようにすべく、第１取付孔２０は、第１支軸８の偏心円運動の直径と同じかまたはこれよりも大きな前後方向の長さを有する長孔とされている。【選択図】図１
2007029462.tif 000002
【特許請求の範囲】
【請求項１】
座席とこの座席を支持する支持台とを有し、座席と支持台の間に、座席に着座した利用者の姿勢を崩すように座席を揺動させる揺動機構が設けられた着座型健康機において、
前記揺動機構は、左右方向を向いていて座席を支持する第１支軸と第２支軸とを有し、第１支軸の端部にはその軸心から偏心した位置に回転軸部が形成されており、この回転軸部を駆動手段で回転させることで、第１支軸はこの回転軸部まわりに偏心円運動可能とされており、
前記座席は、第１支軸が取付けられる第１取付孔を有する第１取付部と、第２支軸が取付けられる第２取付孔を有する第２取付部とを備えており、
前記第１支軸が回転軸部まわりの偏心円運動をしたときに、座席が前記第２支軸まわりの上下揺動をし、かつ前後揺動しないようにすべく、前記第１取付孔は、前記第１支軸の偏心円運動の直径と同じかまたはこれよりも大きな前後方向の長さを有する長孔とされていることを特徴とする着座型健康機。
【請求項２】
座席とこの座席を支持する支持台とを有し、座席と支持台の間に、座席に着座した利用者の姿勢を崩すように座席を揺動させる揺動機構が設けられた着座型健康機において、
前記揺動機構は、左右方向を向いていて座席を支持する第１支軸と第２支軸とを有し、
第１支軸の端部にはその軸心から偏心した位置に回転軸部が形成されており、この回転軸部を駆動手段で回転させることで、第１支軸はこの回転軸部まわりに偏心円運動可能とされており、
前記座席は、第１支軸が取付けられる第１取付孔を有する第１取付部と、第２支軸が取付けられる第２取付孔を有する第２取付部とを備えており、
前記第１支軸が回転軸部まわりの偏心円運動をしたときに、座席が前記第２支軸まわりの上下揺動をし、かつ前後揺動しないようにすべく、第１取付部は、座席に設けられた枢支軸廻りに前後揺動可能なリンク部材とされていることを特徴とする着座型健康機。
【請求項３】
前記第１支軸と座席の間には、この第１支軸の軸心方向に沿って座席を揺動させる揺動手段が設けられていることを特徴とする請求項１または２に記載の着座型健康機。
【請求項４】
前記揺動手段は、座席を揺動させる揺動部材と、前記第１支軸と平行とされていて揺動部材をスライド自在に支持するスライド支軸と、スライド支軸に沿って揺動部材を揺動させるガイド部材とを備え、
前記ガイド部材は円柱状に形成されるとともに前記第１支軸に平行な枢支軸廻りに回転自在とされ、かつこのガイド部材の外周面には螺旋状でかつ無端状のカム溝が形成され、  前記揺動部材にはこのカム溝に嵌合するガイドピンが設けられており、この揺動部材は、前記ガイド部材を枢支軸廻りに回転させて前記ガイドピンをカム溝に沿って摺動させることで前記スライド支軸に沿って揺動自在とされており、前記座席を揺動部材に連動させたことを特徴とする請求項３に記載の着座型健康機。
【請求項５】
前記揺動部材は、前記スライド支軸に沿ってスライド自在とされた本体部と、本体部から突設された一対の突起部とを備え、前記座席に前記スライド支軸に直交するとともに前記揺動部材に連結される連結軸を設け、この連結軸を前記一対の突起部の間に入れることで前記座席を前記揺動部材に連動させたことを特徴とする請求項４に記載の着座型健康機。
【発明の詳細な説明】
【技術分野】
【０００１】
本発明は、座席に座った状態でダイエット等に必要な運動をするための健康機に関するものである。
【背景技術】
【０００２】
従来、利用者が座席に着座した状態で、この座席を揺動バランス訓練を行うバランス訓練装置として、座席の下面に固定された台座を左右一対の連結リンクを介して可動架台に前後揺動可能に支持し、この可動架台をベースに左右揺動可能に支持して、駆動装置により連結リンクを駆動することで、座席に前後方向の揺動、左右方向の揺動をさせるものがある（例えば、特許文献１参照）。
【特許文献１】特開２００４−３４４６８４
【発明の開示】
【発明が解決しようとする課題】
【０００３】
従来のバランス訓練装置を、例えばダイエット等の健康維持のために使用したい場合がある。この場合、座席を前後揺動させると利用者の身体への負荷が大きく、特に女性や高齢者が使用する場合等には、座席を前後方向の揺動させるよりも上下方向へ揺動させる方が好まれ、ダイエット効果も期待できる。
そこで、本発明は、座席を前後揺動させることなく上下に揺動させるようにした着座型健康機を提供することを目的とする。
【課題を解決するための手段】
【０００４】
本発明は上記目的を達成するために以下の技術的手段を講じた。
すなわち、第１に、座席とこの座席を支持する支持台とを有し、座席と支持台の間に、座席に着座した利用者の姿勢を崩すように座席を揺動させる揺動機構が設けられた着座型健康機において、前記揺動機構は、左右方向を向いていて座席を支持する第１支軸と第２支軸とを有し、第１支軸の端部にはその軸心から偏心した位置に回転軸部が形成されており、この回転軸部を駆動手段で回転させることで、第１支軸はこの回転軸部まわりに偏心円運動可能とされており、前記座席は、第１支軸が取付けられる第１取付孔を有する第１取付部と、第２支軸が取付けられる第２取付孔を有する第２取付部とを備えており、前記第１支軸が回転軸部まわりの偏心円運動をしたときに、座席が前記第２支軸まわりの上下揺動をし、かつ前後揺動しないようにすべく、前記第１取付孔は、前記第１支軸の偏心円運動の直径と同じかまたはこれよりも大きな前後方向の長さを有する長孔とされていることを特徴とする。
【０００５】
これによれば、座席は、第１支軸と第２支軸によって支持され、第１支軸に偏心円運動をさせることにより、第２支軸まわりの上下揺動をすることとなる。このとき、座席の第１取付部の第１取付孔は、第１支軸の偏心円運動の直径以上の長さの前後に長い長孔とされているので、この第１取付孔に取り付けられた第１支軸は、偏心円運動をしたときに、第１支軸は、前記第１取付孔の長手方向にスライドすることにより、座席を前後方向に移動させる力を伝えずに、上下方向に揺動させる力のみを伝えることができる。したがって、座席は、前後に揺動することなく上下に揺動できるようになる。
【０００６】
第２に、座席とこの座席を支持する支持台とを有し、座席と支持台の間に、座席に着座した利用者の姿勢を崩すように座席を揺動させる揺動機構が設けられた着座型健康機において、前記揺動機構は、左右方向を向いていて座席を支持する第１支軸と第２支軸とを有し、第１支軸の端部にはその軸心から偏心した位置に回転軸部が形成されており、この回転軸部を駆動手段で回転させることで、第１支軸はこの回転軸部まわりに偏心円運動可能とされており、前記座席は、第１支軸が取付けられる第１取付孔を有する第１取付部と、第２支軸が取付けられる第２取付孔を有する第２取付部とを備えており、前記第１支軸が回転軸部まわりの偏心円運動をしたときに、座席が前記第２支軸まわりの上下揺動をし、かつ前後揺動しないようにすべく、第１取付部は、座席に設けられた枢支軸廻りに前後揺動可能なリンク部材を備えていることを特徴とする。
【０００７】
これによれば、座席は、第１支軸と第２支軸によって支持され、第１支軸に偏心円運動をさせることにより、第２支軸まわりの上下揺動をすることとなる。このとき、座席の第１取付部は、座席に設けられた枢支軸廻りに前後揺動可能なリンク部材とされているので、この第１取付部の第１取付孔に取り付けられた第１支軸は、偏心円運動をしたときに、前記第１取付部が前後に揺動することにより、座席を前後方向に移動させる力を伝えずに、上下方向に揺動させる力のみを伝えることができる。したがって、座席は、前後に揺動することなく上下に揺動できるようになる。
【０００８】
第３に、前記第１支軸と座席の間には、この第１支軸の軸心方向に沿って座席を揺動させる揺動手段が設けられていることを特徴とする。
これによれば、座席は、上下揺動に加えて左右方向にも揺動でき、これによって、より複雑な揺動が可能になる。
第４に、前記揺動手段は、座席を揺動させる揺動部材と、前記第１支軸と平行とされていて揺動部材をスライド自在に支持するスライド支軸と、スライド支軸に沿って揺動部材を揺動させるガイド部材とを備え、前記ガイド部材は円柱状に形成されるとともに前記第１支軸に平行な枢支軸廻りに回転自在とされ、かつこのガイド部材の外周面には螺旋状でかつ無端状のカム溝が形成され、前記揺動部材にはこのカム溝に嵌合するガイドピンが設けられており、この揺動部材は、前記ガイド部材を枢支軸廻りに回転させて前記ガイドピンをカム溝に沿って摺動させることで前記スライド支軸に沿って揺動自在とされており、前記座席を揺動部材に連動させたことを特徴とする。
【０００９】
これによれば、ガイド部材の回転によって揺動部材をスライド支軸の軸心方向に往復運動をさせることができ、この揺動部材に座席を連動させることによって、この座席を左右にも揺動させることができる。
第５に、前記揺動部材は前記スライド支軸に沿ってスライド自在とされた本体部と、本体部から突設された一対の突起部とを備え、前記座席に前記スライド支軸に直交するとともに前記揺動部材に連結される連結軸を設け、この連結軸を前記一対の突起部の間に入れることで前記座席を前記揺動部材に連動させたことを特徴とする。
【００１０】
これによれば、座席の連結軸を揺動部材の一対の突起部の間に入れる構成にしたことで、座席と揺動部材の組み付け・取り外し等が容易となるとともに、座席を確実に左右に揺動させることができる。
【発明の効果】
【００１１】
本発明によれば、座席を前後揺動させることなく上下に揺動させることができる。
【発明を実施するための最良の形態】
【００１２】
以下、図面を参照しながら本発明の実施の形態を説明する。図１〜図１０は本発明の第１実施形態を示している。第１実施形態に係る着座型健康機１は、利用者が跨って着座可能な座席２と、座席２を支持する支持台３とを有している。
なお、以下、座席２に跨って着座した利用者からみた左右方向を単に「左右方向」といい、利用者からみた前後方向を単に「前後方向」という。座席２と支持台３の間には、座席２に着座した利用者の姿勢を崩すように座席２を揺動させる揺動機構４が設けられている。前記座席２は、クッションシート５と、クッションシート５を載せる座席本体６を有している。また、座席２は、その軸心が着座型健康機１の左右方向を向いた第１支軸８および第２支軸９に支持されている。
【００１３】
クッションシート５の上面前部には、座席２の揺動を調節する操作部１１が設けられており、この操作部１１の操作によって着座型運動装置１のＯＮ／ＯＦＦや、座席２の揺動動作の強弱をコントロールできるようになっている。
支持台３の中途部に前後一対の脚部３ａ、３ｂが設けられ、その下部に平面視四角形状の台座３ｃが設けられている。前脚部３ａの後面には、利用者の足を保持する（載せる）円柱状の保持部材１２が設けられている。この保持部材１２は、左右方向に水平状に設けられ、前脚部３ａの後面に形成された取付部１３に着脱自在とされている。前記取付部１３は上下に複数設けられており、保持部材１２の取付位置を上下に変更できるようになっている。
【００１４】
前記座席本体６は、クッションシート５を載せる台座部１６と、第１支軸８が取り付けられる一対の第１取付部１７と、第２支軸９が取付けられる一対の第２取付部１８とを有している。
台座部１６は、下側が開放状の箱形状とされている。また、台座部１６は、平面からみると長方形状となっている。
第１取付部１７は、樹脂製または金属製の板形状とされており、その上部が台座部１６の前部に固定されて一体となっている。この第１取付部１７の下部には、第１支軸８が取付けられる第１取付孔２０が左右方向に貫通して形成されている。この第１取付孔２０は、その上下幅よりも前後方向の長さが長くされ、前後方向に長い長孔となっている。
【００１５】
第２取付部１８は、樹脂製とされており、その上部が台座部１６の後部に一体に固定されている。この第２取付部１８の下部には、第２支軸９が取り付けられる第２取付孔２１が左右方向に貫通して形成されている。この第１取付孔２０は、側面からみて円形に形成されている。
揺動機構４は、駆動手段２３である電動モータによって駆動されることにより座席２を揺動させるようになっている。揺動機構４、駆動手段２３は、支持基板２４上に載せられてユニット化されており、これによって座席２よりも下側の部分の小型化が図られている。
【００１６】
前記揺動機構４は、座席２を支持する前記第１支軸８および前記第２支軸９と、各支軸８、９を支持する支持部材２５を有している。
第１支軸８は、円筒状または円柱状の本体部８ａを有している。本体部８ａは、前記第１取付部１７の第１取付孔２０に挿通されている。
この本体部８ａの端部には、本体部８ａの軸心からこの本体部８ａの半径方向に偏心した回転軸部８ｂが設けられている。回転軸部８ｂは、本体部８ａの端面からこの本体部８ａの軸心方向に平行となるように突出して形成されている。この回転軸部８ｂの直径は、本体部８ａの直径よりも小さくなっている。
【００１７】
第２支軸９は、円筒状または円柱状の本体部９ａを有している。この本体部９ａは、前記第２取付部１８の第２取付孔２１に挿通されており、これによって、第２取付部１８は、この本体部９ａの円周方向および軸心方向に対して摺動可能となっている。
この本体部９ａの端部には、前記支持部材２５に取り付けられる軸部９ｂが設けられている。この軸部９ｂは、本体部９ａの軸心と同心状とされており、この本体部９ａの端面から軸心方向に突出して設けられている。この軸部９ｂの直径は、本体部９ａの直径よりも小さくされている。
【００１８】
前記支持部材２５は、左右一対とされており、その間に座席２が位置するように、左右方向に離間されて支持基板２４に立設されている。支持部材２５の上部には、第１支軸８を支持する第１支持部２５ａと、第２支軸９を支持する第２支持部２５ｂとが設けられている。第１支持部２５ａは、ベアリング２５ｃを介して第１支軸８の回転軸部８ｂを回転自在に支持している。一方、第２支持部２５ｂは、第２支軸９の軸部９ｂを回転不能に支持している。
駆動手段２３である電動モータは、座席本体６の左側方で支持基板２４上に設けられている。電動モータの駆動軸は前方に向けられており、この駆動軸の先端部にはウォームギヤ（図示せず）が設けられている。また、第１支軸８の左側の回転軸部８ｂの先端部には、前記ウォームギヤに噛み合うウォームホイール２６が設けられており、これらの歯車の咬み合いによって、電動モータの駆動軸の回転を回転軸部８ｂの回転に変換できるようになっている。
【００１９】
回転軸部８ｂは、第１支軸８（本体部８ａ）の軸心からその半径方向に偏心して設けられているので、この回転軸部８ｂを駆動手段２３によって回転させると、本体部８ａは、図９（ａ）〜（ｄ）に示すように、この回転軸部８ｂに対して偏心した偏心円運動を行う。座席２は、この偏心円運動に連動して、前記第２支軸９まわりに上下揺動をするようになっている。さらに、座席２は、第１支軸８の偏心円運動によっては前後に揺動しないようになっている。
すなわち、座席本体６の第１取付部１７に形成された第１取付孔２０の長手方向の長さは、第１支軸８の偏心円運動の直径と同じかまたはこれよりも大きくされている。ここで、第１支軸８の偏心円運動の直径とは、図９に示すように、回転軸部８ｂの軸心Ｏ２と、本体部８ａの軸心Ｏ１とを結んだ線と本体部８ａの側面からみた輪郭との交点のうち、回転軸部８ｂ軸心Ｏ２から最も離れた点Ａが回転軸部８ｂまわりに画く円軌道Ｓの直径Ｄをいう。
【００２０】
このように、第１取付孔２０の前後の長さを第１支軸８の偏心円運動の直径と同じかまたはこれよりも大きくすることによって、この第１取付孔２０に挿通された第１支軸８と第１取付孔２０との間に前後方向の遊びができる。
座席２は、第１支軸８が偏心円運動をしたときに、第１支軸８の上下方向の移動に伴って上下に揺動する。これととともに、第１取付孔２０と第１支軸８との間に遊びがあることで、第１支軸８は、偏心円運動中にこの第１取付孔２０の長手方向にスライド（往復）する。このようにすることで、座席２には、第１支軸８が偏心円運動をした場合に、前後方向に移動する力が伝わらず、上方方向に移動させる力にみが伝わることになり、座席２は前後に揺動せず、そして、上下方向の揺動ができるようになる。
【００２１】
なお、回転軸部８ｂの軸心Ｏ２は、第１取付孔２０の長手方向の中央に鉛直に引いた中心線Ｙと一致するように配置されるのことが望ましい。このようにすることで、例えば、第１支軸８の偏心円運動の直径Ｄと第１取付孔２０の長手方向の長さが同じ場合であっても、第１支軸８は所望の偏心円運動ができる。また、第１取付孔２０の長手方向の端部は、第１支軸８の本体部８ａの半径と同じ曲率半径で円弧状に形成されている。
前記第１支軸８と座席２の間には、この第１支軸８の軸心方向に沿って座席２を揺動させる揺動手段２７が設けられている。この揺動手段２７は、前後に間隔をおいて設けられた第１支軸８と第２支軸９との間に配置されている。
【００２２】
揺動手段２７は、座席２（座席本体６）を左右に揺動させる揺動部材２８と、この揺動部材２８を左右方向にスライド自在に支持するスライド支軸２９と、揺動部材２８をスライド支軸２９の軸心方向に沿ってスライドさせる円柱状のガイド部材３０を有している。
揺動部材２８は、スライド支軸２９に取付けられる本体部２８ａと、本体部２８ａから上方に突出された突起部２８ｂを有している。本体部２８ａは、平面視四角形の板状または箱形状とされている。この本体部２８ａには、スライド支軸２９を挿通する挿通孔２８ｃが左右方向に貫通して形成されている。挿通孔２８ｃは本体部２８ａの前後２箇所に形成されている。
【００２３】
前記突起部２８ｂは、左右対とされており、各突起部２８ｂは左右方向に所定間隔離間されている。
一方、前記座席本体６の内側には、一対の突起部２８ｂの間に入る連結軸３２が設けられている。この連結軸３２は、スライド支軸２９に直交する方向（前後方向）を向いており、その両端部が台座部１６の前後壁部に固定されている。このように連結軸３２が対の突起部２８ｂ間に入ることで、座席２（座席本体６）は揺動部材２８の揺動に連動するようになっている。このようにすることで、座席２の揺動部材２８の取付・取り外しが容易にできるようになっている。
【００２４】
前記揺動部材２８は、前後に離間された２本でスライド支軸２９によって支持されている。各スライド支軸２９は、第１支軸８、第２支軸９と平行に設けられており、前記揺動部材２８の挿通孔２８ｃに挿通されている。スライド支軸２９の両端部は前記各支持部材２５の上面に設けられた支持ブラケット３１に支持されている。
前記本体部２８ａの下面には前記ガイド部材３０に嵌合するガイドピン３４が下方に突出して設けられている。このガイド部材３０の外周面には前記ガイドピン３４が嵌る螺旋状でかつ無端状のカム溝３５が形成されている。
【００２５】
ガイド部材３０は、その両端に一体に設けられた枢支軸３６によって枢支されている。枢支軸３６は、ガイド部材３０と同心状とされ、第１支軸８と平行とされており、この枢支軸３６の両端部は、前記左右の支持部材２５に回転自在に支持されている。
図５〜図７に示すように、ウォームホイール２６が設けられた第１支軸８の回転軸部８ｂとは反対側の回転軸部８ｂには、ガイド部材３０の枢支軸３６を駆動する駆動ギヤ３７が設けられており、ガイド部材３０の枢支軸３６の端部には、この駆動ギヤ３７に噛み合う従動ギヤ３８が設けられている。駆動ギヤ３７と従動ギヤ３８の歯数の比は、１：２となっている。
【００２６】
駆動手段２３である電動モータによって第１支軸８の回転軸部８ｂを回転させると、この回転が駆動ギヤ３７から従動ギヤ３８に伝わり、これによってガイド部材３０の枢支軸３６がその軸心廻りに回転するようになっている。
ガイド部材３０も枢支軸３６廻りに回転し、これによってカム溝３５に嵌められたガイドピン３４の先端部は、ガイド部材３０の回転に伴って、カム溝３５に沿って摺動するようになっている。
ガイド部材３０が回転すると、そのカム溝３５に嵌っている前記ガイドピン３４がカム溝３５に沿って摺動しながら左右に往復運動をする。この着座型健康機１は、ガイドピン３４の左右方向の往復運動により揺動部材２８が左右に揺動し、これに伴って揺動部材２８に取り付けられた連結軸３２が左右に揺動することで、座席２（座席本体６）を左右に揺動させるようになっている。
【００２７】
上記構成の着座型健康機１では、駆動手段２３によって第１支軸８の回転軸部８ｂを回転させると、第１支軸８が偏心円運動をし、これによって、第１支軸８に連結支持された座席本体６の第１取付部１７が、第２支軸９まわりに上下に揺動する。このとき、第２取付部１８は、第２支軸９の本体部９ａの円周方向に摺動し、これによって座席２は、第２支軸９まわりに上下揺動をする。
さらに、第１支軸８と座席２の間に前記駆動ギヤ３７、従動ギヤ３８を介して設けられた揺動手段２７によって、座席本体６の連結軸３２を左右に往復移動させることによって、座席２（座席本体６）は、上下方向だけでなく、左右方向にも揺動する。
【００２８】
図１１〜図１３は、本発明に係る着座型健康機１の第２実施形態を示している。
第２実施形態では、座席本体６の第１取付部１７の構成が第１実施形態と異なる。すなわち、第１取付部１７は、座席２と第１支軸８とを連結するリンク部材とされている（以下、第１取付部とリンク部材１７に共通符号１７を用いる）。このリンク部材１７は、座席本体６の台座部１６の下部に設けられた支持部４２に固定された枢支軸４３に前後揺動自在に支持されている。
前記支持部４２は、左右一対とされていて座席本体６の下部から下方に突出して設けられている。枢支軸４３は、この一対の支持部４２に左右方向に貫通して設けられている。この枢支軸４３の先端部には、リンク部材１７の上部が取り付けられている。
【００２９】
リンク部材１７の下部には、第１支軸８が取付けられる第１取付孔２０が形成されている。この第１取付孔２０は、第１実施形態と異なり、第１支軸８の円筒状の本体部８ａが挿通できるような円形状に形成されている。
第１支軸８は、第１実施形態と同じ構成であり、その本体部８ａが前記第１取付孔２０に挿通され、回転軸部８ｂが支持部材２５に支持されている。
前記揺動手段２７その他の構成は、第１実施形態と同じであり、共通する部分には、共通の符号を付して説明を省略する。
【００３０】
この第２実施形態によれば、駆動手段２３によって第１支軸８の回転部材を回転させ、第１支軸８に偏心円運動をさせると、この第１支軸８の上下方向の移動によって、座席２は、図１３（ａ）〜（ｄ）に示すように、第２支軸９まわりに上下に揺動する。このとき、リンク部材１７は、座席本体６に固定された枢支軸４３によって前後揺動自在に支持されているので、第１支軸８の前後の移動に伴って前後に揺動する。座席２は、第１支軸８が前後に移動しても前後方向への力が伝わらず、したがって、前後に揺動しないようになっている。
【００３１】
この第２実施形態でも、第１実施形態と同様に、駆動手段２３によって第１支軸８の回転軸部８ｂを回転させ、揺動手段２７によって座席２を左右に揺動させることができる。
【図面の簡単な説明】
【００３２】
【図１】第１実施形態に係る着座型健康機の前側からみた斜視図である。
【図２】着座型健康機の後側からみた斜視図である。
【図３】クッションシートを取り外した状態を示す着座型健康機の斜視図である。
【図４】後側からみた着座型健康機の要部の斜視図である。
【図５】横からみた着座型健康機の要部の斜視図である。
【図６】座席本体を取り外した状態を示す着座型健康機の要部の斜視図である。
【図７】座席本体を取り外した状態を示す着座型健康機の要部の平面図である。
【図８】座席本体の斜視図である。
【図９】第１支軸の偏心円運動を示す側面図である。
【図１０】揺動手段を示す斜視図である。
【図１１】第２実施形態に係る着座型健康機の要部の斜視図である。
【図１２】座席本体の斜視図である。
【図１３】第１支軸の偏心円運動を示す側面図である。
【符号の説明】
【００３３】
１    着座型健康機
２    座席
３    支持台
４    揺動機構
８    第１支軸
９    第２支軸
１７    第１取付部
１８    第２取付部
２０    第１取付孔
２１    第２取付孔
２３    駆動手段
２７    揺動手段
４２    ガイドピン
２８    揺動部材
２８ａ  本体部
２８ｂ  突起部
２９    スライド支軸
３２    連結軸
３６    枢支軸
４２    枢支軸
【図１】
2007029462.tif 000003
【図２】
2007029462.tif 000004
【図３】
2007029462.tif 000005
【図４】
2007029462.tif 000006
【図５】
2007029462.tif 000007
【図６】
2007029462.tif 000008
【図７】
2007029462.tif 000009
【図８】
2007029462.tif 000010
【図９】
2007029462.tif 000011
【図１０】
2007029462.tif 000012
【図１１】
2007029462.tif 000013
【図１２】
2007029462.tif 000014
【図１３】
2007029462.tif 000015